(57)【要約】【課題】リセットによる影響が演算器に接続されている各種機器に及ばないタイミングを利用して、電圧監視装置から送信されるリセット信号を演算器が受信したか否かに基づいて電圧監視装置を診断し得る電気機器及び電圧監視装置の診断方法を提案する。【解決手段】電源と、演算器と、電圧監視装置と、電圧調整装置と、影響除去装置と、電フラグレジスタとを備え、フラグレジスタは、電圧調整装置を動作させたか否かを記録し、影響除去装置は、電圧調整装置の動作時に電圧監視装置に印加される電圧に影響を与える一方で演算器に印加される電圧には影響を与えないように動作し、電圧監視装置は、電圧調整装置の動作時に異常電圧を検知してリセット信号を演算器に送信し、演算器は、電圧調整装置の動作時にリセット信号を受信したか否かに基づいて、電圧監視装置の故障を診断することを特徴とする。【選択図】図１
2015201095.tif 000002
【特許請求の範囲】
【請求項１】
電源入力端子とフラグレジスタ値入力端子と診断指示端子とリセット入力端子とを備える演算器と、
前記電源入力端子と接続され、電源電圧を供給する電源と、
前記電源と前記リセット入力値端子との間に接続される電圧監視装置と、
前記診断指示端子と前記電圧監視装置との間に接続され、前記演算器からの電圧調整指示に基づいて前記電圧監視装置に印加される電圧を調整する電圧調整装置と、
前記電源と前記電圧監視装置との間に接続され、前記電圧監視装置に印加される電圧に影響を与える影響除去装置と、
前記電源と前記フラグレジスタ値入力端子との間、かつ、前記電源と前記電圧調整装置との間に接続され、前記電圧調整装置を動作させたか否かを記録するフラグレジスタとを有し、
前記電圧監視装置は、
前記電圧調整装置によって印加される電圧が所定範囲外である場合にリセット信号を送信し、
前記演算器は、
前記フラグレジスタの記録、及び前記リセット信号を受信したか否かに基づいて、前記電圧監視装置の故障を診断する
ことを特徴とする電気機器。
【請求項２】
前記演算器は、
診断を開始すると、前記電圧調整装置を動作させて前記電圧監視装置に印加される電圧を前記所定範囲外の電圧値である異常電圧に変更し、前記電圧監視装置が異常電圧を検知して送信した前記リセット信号を受信した場合には前記電圧監視装置は正常動作していると判断し、前記リセット信号を受信しない場合には前記電圧監視装置は異常動作していると判断する
ことを特徴とする請求項１に記載の電気機器。
【請求項３】
前記演算器は、
前記フラグレジスタに記録されている前記電圧調整装置の動作状況に基づいて、診断にともない前記リセット信号を受信したか否かを判断する
ことを特徴とする請求項１に記載の電気機器。
【請求項４】
前記電圧調整装置は、オープンドレインバッファであり、
前記影響除去装置は、抵抗器であり、
前記フラグレジスタは、フリップフロップである
ことを特徴とする請求項１に記載の電気機器。
【請求項５】
前記抵抗器の抵抗値は、前記電源により供給される電圧値から、前記オープンドレインバッファにより引き込むことのできる最大電流引き込み値を除した値以上である
ことを特徴とする請求項４に記載の電気機器。
【請求項６】
前記フラグレジスタは、二重化されている
ことを特徴とする請求項１に記載の電気機器。
【請求項７】
電源電圧を監視する電圧監視装置の故障を診断する電気機器の診断方法において、
前記電気機器は、
前記電源電圧を供給する電源と、
前記電源に接続される演算器と、
前記電圧監視装置と、
前記電圧監視装置に印加される電圧を調整する電圧調整装置と、
前記電源と前記電圧監視装置との間に設置される影響除去装置と、
前記電源と前記電圧調整装置との間に設置されるフラグレジスタとを備え、
前記フラグレジスタが、前記電圧調整装置を動作させたか否かを示す情報を記録する第１のステップと、
前記影響除去装置が、前記電圧調整装置の動作時において、前記電圧監視装置に印加される電圧に影響を与える一方で前記演算器に印加される電圧には影響を与えないように動作する第２のステップと、
前記電圧監視装置が、前記電圧調整装置の動作時に印加される電圧が所定範囲外の電圧値に調整されると、異常電圧を検知してリセット信号を前記演算器に送信する第３のステップと、
前記演算器が、前記電圧調整装置の動作時に前記リセット信号を受信したか否かに基づいて、前記電圧監視装置の故障を診断する第４のステップと
を備えることを特徴とする診断方法。
【発明の詳細な説明】
【技術分野】
【０００１】
本発明は、電気機器及び診断方法に関し、特に電源電圧を監視する電圧監視装置を備えた電気機器及び電圧監視装置の診断方法に適用して好適なものである。
【背景技術】
【０００２】
電源電圧を監視する電圧監視装置を演算器に付加して構成される電気機器は、電源電圧に異常が発生した場合、電圧監視装置によりその異常を検知するとともに、リセット信号を演算器に送信して演算器を安全に停止することができる。また電源供給路を遮断する遮断回路を電気機器が備える場合には、電圧監視装置により遮断信号を遮断回路に送信して、演算器に供給される電力を遮断することにより演算器を安全に停止することができる。
【０００３】
電圧監視装置が正常に動作する場合には上記の通り演算器を安全に停止することができる。一方で電圧監視装置が何らかの原因により故障して、正常に動作することができない状態である場合には、電圧監視装置からリセット信号又は遮断信号が送信されない。この状態で電源電圧に異常が発生した場合、演算器を安全に停止することができず、演算器に異常電圧が供給されることにより演算器が異常動作するおそれがある。
【０００４】
そこで特許文献１には、電圧監視装置の故障の有無を診断する電気機器が開示されている。具体的には電圧監視装置と演算器等の負荷との間にスイッチを設け、このスイッチを診断時にオープンにして電圧監視装置に供給される電圧を意図的に低下させることにより電圧監視装置が正常に動作しているか否かを診断し、診断の間は、演算器等の負荷にリセットがかからないようにコンデンサによりリセット入力端子の電圧を一定時間維持するように構成された電気機器が開示されている。
【先行技術文献】
【特許文献】
【０００５】
【特許文献１】特開２０１２−３５６５号公報
【発明の概要】
【発明が解決しようとする課題】
【０００６】
しかし特許文献１に記載の技術では、診断の間、演算器が不要にリセット信号を受信しないようにして電圧監視装置を診断することができるものの、実際に電源電圧に異常が発生している場合、電圧監視装置が送信したリセット信号を演算器が正常に受信することができるか否かを含めて診断することができない。非常に高い安全性が要求される自動車及び鉄道車両等のシステムの場合、リセット信号が適切に送信された場合には演算器がリセット信号を確実に受信する必要がある。
【０００７】
ここで自動車及び鉄道車両等のシステムにおいて配備された各種機器は、通常、数週間以上にわたって連続して稼働することはなく、数日に１回以上は電源が停止される。例えば鉄道車両は２４時間連続して稼働することはなく、深夜には電源が停止され、早朝に電源が再投入される。この電源が再投入されるタイミングでリセット信号を演算器に送信して演算器を意図的にリセットしても、リセットによる影響が演算器に接続されている各種機器（例えば鉄道車両や踏切等）には及ばない。
【０００８】
本発明は以上の点を考慮してなされたもので、リセットによる影響が演算器に接続されている各種機器に及ばないタイミングを利用して、電圧監視装置から送信されるリセット信号を演算器が受信したか否かに基づいて電圧監視装置を診断し得る電気機器及び電圧監視装置の診断方法を提案する。
【課題を解決するための手段】
【０００９】
かかる課題を解決するために、本発明の電気機器においては、電源入力端子とフラグレジスタ値入力端子と診断指示端子とリセット入力端子とを備える演算器と、電源入力端子と接続され、電源電圧を供給する電源と、電源とリセット入力値端子との間に接続される電圧監視装置と、診断指示端子と電圧監視装置との間に接続され、演算器からの電圧調整指示に基づいて電圧監視装置に印加される電圧を調整する電圧調整装置と、電源と電圧監視装置との間に接続され、電圧監視装置に印加される電圧に影響を与える影響除去装置と、電源とフラグレジスタ値入力端子との間で、かつ電源と電圧調整装置との間に接続され、電圧調整装置を動作させたか否かを記録するフラグレジスタとを有し、電圧監視装置は、電圧調整装置によって印加される電圧が所定範囲外である場合にリセット信号を送信し、演算器は、フラグレジスタの記録、及びリセット信号を受信したか否かに基づいて、電圧監視装置の故障を診断することを特徴とする。
【００１０】
またかかる課題を解決するために、本発明の診断方法においては、フラグレジスタが電圧調整装置を動作させたか否かを記録する第１のステップと、影響除去装置が電圧調整装置の動作時に電圧監視装置に印加される電圧に影響を与える一方で演算器に印加される電圧には影響を与えないように動作する第２のステップと、電圧監視装置が電圧調整装置の動作時に異常電圧を検知してリセット信号を演算器に送信する第３のステップと、演算器が電圧調整装置の動作時にリセット信号を受信したか否かに基づいて、電圧監視装置の故障を診断する第４のステップとを備えることを特徴とする。
【発明の効果】
【００１１】
本発明によれば、リセットによる影響が演算器に接続されている各種機器に及ばないタイミングを利用して、電圧監視装置から送信されるリセット信号を演算器が受信したか否かに基づいて電圧監視装置を診断することができる。
【図面の簡単な説明】
【００１２】
【図１】本実施の形態における電気機器の全体構成図である。
【図２】電気機器の一例を示す全体構成図である。
【図３】通常時のオープンドレインバッファの作用及び電流の流れを示す図である。
【図４】診断時のオープンドレインバッファの作用及び電流の流れを示す図である。
【図５】診断処理を示すフローチャートである。
【図６】フラグレジスタを二重化した場合の診断処理を示すフローチャートである。
【図７】電源投入時以外にフラグレジスタを初期化する電気機器の全体構成図である。
【図８】電源投入時以外にフラグレジスタを初期化する場合のフローチャートである。
【発明を実施するための形態】
【００１３】
以下図面について、本発明の一実施の形態を詳述する。
【００１４】
（１）全体構成
図１は、本実施の形態における電気機器１００の全体構成を示す。電気機器１００は、電源入力端子、フラグレジスタ値入力端子、診断指示端子及びリセット入力端子を備えた演算器１と、電源２と、演算器１に供給する電源電圧を監視する電圧監視装置３と、電圧監視装置３に印加される電圧の電圧値を変更する電圧調整装置４と、電圧調整装置４の動作時に電圧監視装置３に印加される電圧に影響を与える一方で他の回路素子の供給電源に影響を与えないようにする影響除去装置５と、故障診断を行ったことがあるか否かを示すフラグレジスタ６とから構成される。以下、各部の機能について説明する。
【００１５】
演算器１は、例えばＣＰＵ（Central Processing Unit）等であり、外部入力に基づいて演算処理を実行するとともに演算結果を出力する。演算器１は、上記の通り電源入力端子、フラグレジスタ値入力端子、診断指示端子及びリセット入力端子を備える。
【００１６】
演算器１に印加される電源電圧が以下に示す監視閾値内である場合は、演算器１に対してリセットがかからず、監視閾値外である場合は、電圧監視装置３の動作により演算器１に対してリセットがかかるように構成される。
【００１７】
通常時はリセット入力端子に対して電圧が印加されており、電圧監視装置３がリセット信号を送信する異常時は、リセット入力端子の電圧がグランドレベルに低下されることによりリセットがかかる。演算器１にリセットがかかった場合、演算器１は動作を停止する。
【００１８】
電源２は、例えばＤＣ３．３Ｖを出力する直流電源であり、演算器１に対して電源電圧を供給する装置である。電源２は、影響除去装置５を介して電圧監視装置３に接続される。
【００１９】
電圧監視装置３は、影響除去装置５を介して供給される監視電圧が監視閾値内であるか否かを判断し、監視閾値外である場合はリセット信号を送信する。監視閾値は、演算器１に異常電圧が印加される前にリセット信号が送信されるように動作可能範囲より若干狭い範囲に設定される。
【００２０】
例えば演算器１の動作可能範囲が３．０Ｖ〜３．６Ｖである場合、監視閾値の下限は３．１Ｖ、上限は３．５Ｖに設定される。この場合、電圧監視装置３は、監視電圧が３．１Ｖ以下又は３．５Ｖ以上となった場合にリセット信号を送信する。
【００２１】
電圧調整装置４は、演算器１の診断指示端子からの電圧調整指示を受信した場合、指示に基づいて電圧監視装置３に印加されている監視電圧の値を電圧監視装置３の監視閾値の上限閾値以上又は下限閾値以下に変更する。
【００２２】
電圧調整装置４は、電圧監視装置３に印加されている監視電圧の値を変更することができればよいことから、オープンドレインバッファを用いることができる。オープンドレインバッファは、出力としてＦＥＴ（Field Effect Transistor : 電界効果トランジスタ）のドレインを外部に引き出し、入力が「負論理」の場合の出力はハイ・インピーダンスになり、入力が「正論理」の場合、出力端子から電流を引き込み、出力に接続されたラインの電圧を低下させることができる。
【００２３】
影響除去装置５は、例えば抵抗器であり、電圧調整装置４の動作時（診断時）に電圧監視装置３に印加される電圧を変動させる一方で演算器１の電源電圧の変動を抑制する。影響除去装置５に抵抗器を使用する場合、電圧監視装置３に印加される電圧は、電圧監視装置３の入力インピーダンスと抵抗器の抵抗値との比で降下することとなる。また抵抗器の抵抗値は、電圧調整装置４により引き込むことのできる電流値を超えないように選定される。
【００２４】
例えば電圧監視装置３の入力インピーダンスが１０ｋΩ、電圧調整装置４により引き込むことのできる電流値が１０ｍＡ、電源２の電源電圧がＤＣ３．３Ｖの直流電源の場合、オームの法則より抵抗＝電圧／電流であるから、電圧調整装置４により引き込むことのできる電流値を超えないためには、３．３Ｖ／０．０１Ａより抵抗器の抵抗値は３３０Ω以上で選定する必要がある。
【００２５】
抵抗値を３３０Ωとすると、電源２から正常にＤＣ３．３Ｖが供給されている場合、電圧監視装置３に印加される電圧は、電圧監視装置３の入力インピーダンスと抵抗器の抵抗値との比で電圧が降下するため３．３Ｖ×（３３０Ω／３３０Ω＋１００００Ω）＝３．１９Ｖとなる。
【００２６】
電圧監視装置３の監視閾値の下限が３．１Ｖ、上限が３．５Ｖに設定されている場合、電圧監視装置３に印加される電圧は、抵抗器による電圧降下により、３．１Ｖが３．００Ｖに下降し、３．５Ｖが３．３９Ｖに下降する。よって電圧監視装置３の監視閾値の下限を３．００Ｖに変更し、上限を３．３９Ｖに変更する必要がある。
【００２７】
フラグレジスタ６は、例えばフリップフロップであり、演算器１から診断実施の指示があったことを示すフラグを保持する。フラグレジスタ６は、演算器１から診断実施の指示があった場合、フラグをセットして、一度セットしたフラグは再度電源が投入されるまでクリアされないように保持する。
【００２８】
図２は、電気機器１００の一例としての電気機器１００Ａの全体構成を示す。電気機器１００と同一の構成については同一の符号を付して図示している。電気機器１００Ａは、演算器１にＣＰＵ１Ａを適用し、電圧調整装置４にオープンドレインバッファ４Ａを適用し、影響除去装置５に抵抗器５Ａを適用し、フラグレジスタ６にフリップフロップ６Ａを適用している点で、電気機器１００と異なる。
【００２９】
電気機器１００及び１００Ａは何れも、少ない回路の追加でリセット信号の受付確認まで可能な電圧監視装置の故障診断を行うことができる。
【００３０】
（２）詳細構成
以下図３及び図４を参照して、電圧調整装置４の作用について説明する。なおここでは電圧調整装置４にオープンドレインバッファ４Ａを適用し、影響除去装置５に抵抗器５Ａを適用した場合について説明する。
【００３１】
図３は、演算器１からの診断指示がない場合のオープンドレインバッファ４Ａの作用を示す。演算器１からの診断指示がない場合、オープンドレインバッファ４Ａの出力はオープンとなる。そのため電流は、電源２から抵抗器５Ａを介して電圧監視装置３に流れる。この場合、電圧は、抵抗器５Ａで上記した通り降下し、降下した電圧が電圧監視装置３に印加される。
【００３２】
図４は、演算器１からの診断指示がある場合のオープンドレインバッファ４Ａの作用を示す。演算器１からの診断指示がある場合、オープンドレインバッファ４Ａの出力は電源２からの電流を引き込む。抵抗器５Ａにより電流制限がかかり、オープンドレインバッファ４Ａの引き込める電流値よりも抵抗器５Ａに流れる電流値の方が小さい場合、電圧監視装置３に印加される電圧はグランドレベルとなる。
【００３３】
またオープンドレインバッファ４Ａにより引き込める電流値よりも電源２の電流容量が十分大きい場合、他の回路素子への供給電圧は降下しないため他の素子に対して影響を与えることはない。
【００３４】
（３）フローチャート
図５は、演算器１による診断処理の処理手順を示す。まず演算器１は、電源投入時にフラグレジスタ６が初期化され（ＳＰ１）、電源２が確立したことにより演算器１に対するリセットが解除されると、診断を開始する（ＳＰ２）。診断において演算器１は、まずフラグレジスタ６が保持しているフラグを確認する（ＳＰ３）。
【００３５】
演算器１は、例えばフラグが０にセットされていることを確認すると、診断未実施であると判断して（ＳＰ３：診断未実施）、フラグを１にセットした後に電圧調整装置４に診断開始の指示を送信する（ＳＰ４）。電圧調整装置４は、演算器１からの診断開始の指示を受信すると、電圧監視装置３に印加される電圧が異常電圧になるように調整する。
【００３６】
演算器１は、電圧調整装置４に診断開始の指示を送信した後、待機する（ＳＰ５）。待機時間は、診断開始の指示を送信してから電圧監視装置３に印加される電圧の電圧値が変更し終えるまでの応答時間以上に設定され、通常１ｓ以下に設定される。
【００３７】
電圧監視装置３が故障しておらず正常である場合、異常電圧を検知した電圧監視装置３は、待機中の演算器１にリセット信号を送信する。演算器１は、電圧監視装置３からのリセット信号を受信すると（ＳＰ６：リセット有）、初期化（リセット）した後、再度診断を開始するためにステップＳＰ２に移行する。
【００３８】
演算器１は、ステップＳＰ２に移行した後、再度フラグレジスタ６が保持しているフラグを確認することになるが（ＳＰ３）、フラグは１にセットされているため、診断実施済みであると判断して（ＳＰ３：診断実施済み）、診断を正常に終了する（ＳＰ７）。
【００３９】
ステップＳＰ６に戻り、電圧監視装置３が故障しており正常でない場合、電圧監視装置３は異常電圧を検知することができない。この場合、電圧監視装置３は、待機中の演算器１にリセット信号を送信しない。演算器１は、電圧監視装置３からのリセット信号を受信することがないため、待機時間がタイムアウトして（ＳＰ６：リセット無し）、診断が異常に終了したものと判断する（ＳＰ８）。
【００４０】
上記フローチャートにおいては電圧監視装置３が故障している場合に診断が異常に終了したものと判断して電圧監視装置３の故障を検知する場合について説明してきたが、電圧監視装置３以外の構成部材が故障している場合であっても、上記フローチャートにより故障を検知することができる。以下電圧調整装置４、影響除去装置５又はフラグレジスタ６が故障した場合について説明する。
【００４１】
まず電圧調整装置４が故障している場合について説明する。電圧調整装置４にオープンドレインバッファ４Ａを適用した場合、オープンドレインバッファ４Ａの故障モードは、診断指示時（電流引き込み指示時）に電圧監視装置３の入力端子への電流を引き込めない場合又は診断指示以外の時（オープン出力指示時）に電流を引き込んでしまう場合が考えられる。
【００４２】
診断時に電流を引き込めない場合、電圧監視装置３は異常電圧を検知しないため、リセット信号を送信しない。よって演算器１はリセット信号を受信することがないため、待機時間がタイムアウトして（ＳＰ６：リセット無し）、診断異常終了と判断して故障を検知することができる。
【００４３】
また診断時以外に電流を引き込んでしまう場合、電圧監視装置３は、通常時に異常電圧を検知することになり、リセット信号を送信するため、故障を検知することができる。
【００４４】
次いで影響除去装置５が故障している場合について説明する。影響除去装置５に抵抗器５Ａを適用した場合、抵抗器の故障モードは、ショート又はオープンが考えられる。抵抗器５Ａがオープンの場合、電圧監視装置３は、通常時に異常電圧を検知することになり、リセット信号を送信するため、故障を検知することができる。
【００４５】
また抵抗器５Ａがショートの場合、電圧監視装置３に供給することのできる電流値が電圧調整装置４の引き込める電流値を超えているため、診断時に電圧を降下させることができない。すなわち診断時に電圧監視装置３は異常電圧を検知しないため、リセット信号を送信しない。よって演算器１はリセット信号を受信することがないため、待機時間がタイムアウトして（ＳＰ６：リセット無し）、診断異常終了と判断して故障を検知することができる。
【００４６】
最後にフラグレジスタ６が故障している場合について説明する。フラグレジスタ６の故障モードは、診断実施済みであるのに未実施を示すフラグを保持する場合又は診断未実施であるのに実施済みを示すフラグを保持する場合がある。
【００４７】
診断実施済みであるのに未実施を示すフラグを保持する場合、電源投入後永続的に診断を繰り返してしまうものの、診断を正常終了させることはない。一方で診断未実施であるのに実施済みを示すフラグを保持する場合、診断せずに診断を正常終了してしまう。
【００４８】
この場合はフラグレジスタ６を二重化して比較照合を行い、比較不一致の場合には診断異常終了と判断するようにすればよい。フラグレジスタ６を二重化すると、診断実施済みであるのに未実施を示すフラグを保持する場合に永続的に診断を繰り返す不具合も回避することができる。
【００４９】
図６は、フラグレジスタを二重化した場合の診断処理の処理手順を示す。この図６の診断処理は、ステップＳＰ１３において二重化されたフラグレジスタ６を確認する点で、図５の診断処理と異なる。具体的には、演算器１は電源投入時にフラグレジスタ６が初期化されると（ＳＰ１１）、診断を開始し（ＳＰ１２）、二重化されたフラグレジスタ６においてそれぞれ保持されているフラグを確認する（ＳＰ１３）。
【００５０】
演算器１は、例えばセットされているフラグの値が１で一致する場合（ＳＰ１３：診断実施済み）、診断正常終了と判断して（ＳＰ１７）、この診断処理を終了する。また演算器１は、例えばセットされているフラグの値が０で一致する場合（ＳＰ１３：診断未実施）、図５で説明したように診断処理を実行し、診断正常終了又は診断異常終了を判断して（ＳＰ１４〜ＳＰ１８）、この診断処理を終了する。
【００５１】
また演算器１は、例えば一方のフラグレジスタ６にセットされているフラグの値が０であり、他方のフラグレジスタ６にセットされているフラグの値が１である場合（ＳＰ１３：比較不一致）、診断異常終了と判断して（ＳＰ１８）、この診断処理を終了する。
【００５２】
（４）他の実施の形態
上記説明してきた電気機器１００及び１００Ａは、電源投入時に診断処理（図５、図６）を実行するものであるが、電源投入時以外に診断処理を実行するようにしてもよい。ここでは電源投入時以外に診断処理を実行する構成について説明する。
【００５３】
図７は、他の実施の形態における電気機器１００Ｂを示す。電気機器１００Ｂは、演算器１からフラグレジスタ６のリセットを行えるようにしたものである。電気機器１００Ｂは、演算器１Ｂ及びＯＲゲート７を備える点で、上記説明してきた電気機器１００及び１００Ａと異なる。
【００５４】
演算器１Ｂは、フラグレジスタ６に対してフラグの値をリセットするためのリセット信号を送信する初期化指示端子を備える。またＯＲゲート７は、演算器１Ｂ及び電源２からのリセット信号を入力し、２つのリセット信号の論理和を計算した計算結果をフラグレジスタ６に送信する。
【００５５】
図８は、電源投入時以外にフラグレジスタ６を初期化する場合の診断処理の処理手順を示す。この図８の診断処理は、ステップＳＰ２１Ａにおいてフラグレジスタ６を初期化する処理を実行する点で、図５の診断処理と異なる。具体的には、演算器１Ｂは電源が投入された後（ＳＰ２１）、各種処理を実行し、診断のタイミングになるとフラグレジスタを初期化する（ＳＰ２１Ａ）。その後演算器１Ｂは、図５の診断処理と同様に処理を実行し、診断正常終了又は診断異常終了を判断して（ＳＰ２２〜ＳＰ２８）、この診断処理を終了する。
【００５６】
（５）本実施の形態による効果
以上のように本実施の形態における電気機器によれば、診断時において、電圧監視装置に印加される電圧を電圧調整装置が意図的に異常電圧に変更し、電圧監視装置が故障しておらず正常である場合には、異常電圧を検知してリセット信号を演算器に送信することになるが、このとき演算器がリセット信号を受信したか否かに基づいて電圧監視装置が正常であるか否かを診断するようにしたので、リセット信号を演算器が受信するまでを含めて電圧監視装置の故障を診断することができる。
【００５７】
また本実施の形態における電気機器によれば、電圧監視装置以外の構成部材である電圧調整装置、影響除去装置又はフラグレジスタの故障をも診断することができる。
【００５８】
また本実施の形態における電気機器によれば、部品点数の少ない回路構成で、電圧監視装置の故障を診断することができる。
【００５９】
また本時氏の形態における電気機器によれば、鉄道システムの信号装置等に適用することで高い安全性を確保することができる。
【符号の説明】
【００６０】
１    演算器
２    電源
３    電圧監視装置
４    電圧調整装置
５    影響除去装置
６    フラグレジスタ
７    ＯＲゲート
１Ａ  ＣＰＵ
４Ａ  オープンドレインバッファ
５Ａ  抵抗器
６Ａ  フリップフロップ
【図１】
2015201095.tif 000003
【図２】
2015201095.tif 000004
【図３】
2015201095.tif 000005
【図４】
2015201095.tif 000006
【図５】
2015201095.tif 000007
【図６】
2015201095.tif 000008
【図７】
2015201095.tif 000009
【図８】
2015201095.tif 000010